(57)【要約】【課題】個人データを関連データとともに適切に保存し管理できるようにした電子アルバムシステムを提供する。【解決手段】記録媒体（５０）にアルバムデータの一部と識別データを記録する一方、主データ記憶手段（１００）　にアルバムデータの残部とその識別データを記憶する。媒体データ読出手段（２００）　によって記録媒体に記録されたアルバムデータの一部及び識別データを読み出し、読み出した識別データを主データ読出手段（１４０）　によって受け、識別データに対応するアルバムデータの残部を主データ記憶手段から読み出し、アルバムデータの残部と読み出したアルバムデータの一部を表示手段（２２０）　で表示する。【選択図】　図３
2004086345.tif 000002
【特許請求の範囲】
【請求項１】
アルバムデータの一部を記録したリムーバブルな記録媒体をユーザ端末にセットする一方、ユーザ端末とサーバとの間を回線を介して接続し、アルバムデータの残部をサーバからユーザ端末に送信し、アルバムデータをユーザ端末に表示し得るようにした電子アルバムシステムであって、
アルバムデータの一部を記録するとともに、アルバムデータの残部を特定するための識別データを記録したリムーバブルな記録媒体と、
アルバムデータの残部とその識別データを記憶する主データ記憶手段と、
上記記録媒体に記録されたアルバムデータの一部及び識別データを読み出す媒体データ読出手段と、
上記読み出した識別データを受け、該識別データに対応するアルバムデータの残部を上記主データ記憶手段から読み出す主データ読出手段と、
上記読み出したアルバムデータの残部を受け、該アルバムデータの残部と上記読み出したアルバムデータの一部とからアルバムデータを表示する表示手段と、を備えたことを特徴とする電子アルバムシステム。
【請求項２】
上記主データ記憶手段及び主データ読出手段がサーバに設けられ、上記媒体データ読出し手段及び表示手段がユーザ端末に設けられている請求項１記載の電子アルバムシステム。
【請求項３】
上記記録媒体には対応する主データ記憶手段内のアルバムデータへの接続先が記録され、上記媒体データ読出手段によって上記記録媒体から読み出された接続先に接続する接続手段が更に設けられている請求項１又は２記載の電子アルバムシステム。
【請求項４】
上記主データ記憶手段へのアクセスを許可するための認証データを記憶する認証データ記憶手段と、該認証データ記憶手段内の認証データを用いて認証を行う認証手段とを更に備え、
上記記録媒体にはアルバムデータの一部に関連する上記主データ記憶手段内のアルバムデータへのアクセスの許可を求めるための認証データが記録され、上記媒体データ読出手段は上記記録媒体に記録された認証データを読み出し、上記認証手段は上記読み出した認証データを受けて上記認証データ記憶手段内の認証データと比較し、上記主データ読出手段は上記認証がなされた時に識別データに対応するアルバムデータの残部を上記主データ記憶手段から読み出すようになした請求項１ないし３のいずれかに記載の電子アルバムシステム。
【請求項５】
上記主データ記憶手段内のアルバムデータの残部を変更し追加する主データ書込み手段を更に備えた請求項１ないし４のいずれかに記載の電子アルバムシステム。
【請求項６】
上記アルバムデータの一部が個人に由来する個人データの全部又は一部であり、上記アルバムデータの残部が個人の関係者に由来する関連データ及び個人データが社会的に関係する関連データの一方又は両方、あるいは該一方又は両方と上記個人に由来する個人データの残部である請求項１ないし５のいずれかに記載の電子アルバムシステム。
【請求項７】
上記個人データが個人の所有する画像データ、文字データ及び／又は音声データである請求項６記載の電子アルバムシステム。
【請求項８】
上記識別データが個人データに関連する日時データ及び／又は場所データである請求項６又は７記載の電子アルバムシステム。
【請求項９】
上記関連データが個人データに関連する社会的な出来事、歴史あるいは地理に関する画像データ、文字データ及び／又は音声データである請求項６ないし８のいずれかに記載の電子アルバムシステム。
【請求項１０】
アルバムデータの一部を記録したリムーバブルな記録媒体をユーザ端末にセットする一方、ユーザ端末とサーバとの間を回線を介して接続し、アルバムデータの残部をサーバからユーザ端末に送信してアルバムデータをユーザ端末に表示し得るように、サーバ及びユーザ端末を制御する電子アルバムプログラムであって、
上記サーバ及びユーザ端末を、
アルバムデータの残部とその識別データを記憶する主データ記憶手段、
上記リムーバブルな記録媒体に記録されたアルバムデータの一部及び識別データを読み出す媒体データ読出手段、
上記読み出した識別データを受け、該識別データに対応するアルバムデータの残部を上記主データ記憶手段から読み出す主データ読出手段、及び
上記読み出したアルバムデータの残部を受け、該アルバムデータの残部と上記読み出したアルバムデータの一部とからアルバムデータを表示する表示手段、
として機能させるようになしたことを特徴とする電子アルバムプログラム。
【請求項１１】
上記サーバ及びユーザ端末を、
上記主データ記憶手段へのアクセスを許可するための認証データを記憶する認証データ記憶手段、及び該認証データ記憶手段内の認証データを用いて認証を行う認証手段として機能させるとともに、上記記録媒体にはアルバムデータの一部に関連する上記主データ記憶手段内のデータへのアクセスの許可を求めるための認証データが記録され、上記媒体データ読出手段が記録媒体に記録された認証データを読み出し、上記認証手段が上記読み出した認証データを受けて上記認証データ記憶手段内の認証データと比較し、上記主データ読出手段が上記認証がなされた時に識別データに対応するアルバムデータの残部を上記主データ記憶手段から読み出すように制御するプログラムを更に含む請求項１０記載の電子アルバムプログラム。
【発明の詳細な説明】
【０００１】
【発明の属する技術分野】
本発明は電子アルバムシステムに関し、特に個人データを関連データとともに適切に保存し管理できるシステムに関する。
【０００２】
【従来の技術】
個人の肖像や思い出の風景等は写真に撮影し、アルバムにして保存することが多いが、映像フィルム（例えば８ｍｍフィルム）やビデオテープに撮影し、保存することも行われている。また、最近の電子技術の進歩に伴い、肖像や風景をデジタルカメラで撮影してメモリカード、コンパクトディスク（ＣＤ）あるいはハードディスク等にデジタルデータとして保存することも行われるようになってきた。
【０００３】
個人の肖像や思い出の風景等（以下、個人データともいう）は本人ばかりでなく、家族や友人等の関係者にもかけがえのないものであるが、関係者は社会的な出来事、歴史、地理、その他の情報であって個人データに関連する種々な情報を個別に記憶していることが多い。従って、関係者の有する他の情報を個人データに一緒に保存できれば他の関係者にも有益であり、個人データの利用価値がアップすることが期待できる。
【０００４】
【発明が解決しようとする課題】
しかるに、写真、映像フィルム、ビデオテープの媒体では個人データに関連する他のデータを同時に保存しようとすると、媒体の数が膨大になり、保存が非常に難しい。
【０００５】
また、メモリカード、ＣＤあるいはＤＶＤ等のリムーバブルな記録媒体では１つの媒体に記録できるデータ量に限界があり、個人データに関連する他のデータを同時に記録しようとすると、データ量が多くなりすぎて１つの記録媒体に記録しきれない場合があり、媒体の数が膨大になり、保存が非常に難しい。
【０００６】
本発明はかかる状況において、個人データを関連データとともに適切に保存し管理できるようにした電子アルバムシステムを提供することを課題とする。
【０００７】
【課題を解決するための手段】
そこで、本発明に係る電子アルバムシステムは、アルバムデータの一部を記録した記録媒体をユーザ端末にセットする一方、ユーザ端末とサーバとの間を回線を介して接続し、アルバムデータの残部をサーバからユーザ端末に送信し、アルバムデータをユーザ端末に表示し得るようにした電子アルバムシステムであって、アルバムデータの一部を記録するとともに、アルバムデータの残部を特定するための識別データを記録した記録媒体と、アルバムデータの残部とその識別データを記憶する主データ記憶手段と、記録媒体に記録されたアルバムデータの一部及び識別データを読み出す媒体データ読出手段と、上記読み出した識別データを受け、該識別データに対応するアルバムデータの残部を上記主データ記憶手段から読み出す主データ読出手段と、上記読み出したアルバムデータの残部を受け、該アルバムデータの残部と上記読み出したアルバムデータの一部とからアルバムデータを表示する表示手段と、を備えたことを特徴とする。
【０００８】
本発明の特徴の１つはアルバムデータの一部をリムーバブルな記録媒体に記録し、アルバムデータの残部を主データ記憶手段に記憶し、記録媒体からアルバムデータの一部が読み出された時に記録媒体内の識別データを用いて主データ記憶手段からアルバムデータの残部を読み出して回線を通じて送信し、アルバムデータの全体を表示し得るようにした点にある。
【０００９】
これにより、アルバムデータが膨大なデータ量になっても、記録媒体内のデータと相互に関連づけてアルバムデータの残部を保存できるので、写真、映像フィルム、ビデオテープの媒体を利用する場合のように媒体の数が膨大になって保存が非常に困難になることはなく、又データ量が多くなりすぎて記録しきれないということもない。その結果、アルバムデータを適切に保存し管理できる。
【００１０】
上述のように本発明の特徴の１つがアルバムデータを記録媒体とサーバの記憶装置に分割して記憶させる点にあるので、本例のシステムを構築する場合には主データ記憶手段及び主データ読出手段をサーバに設け、媒体データ読出手段及び表示手段をユーザ端末に設けるのがよい。
【００１１】
ユーザ端末をサーバに接続する場合、サーバの接続先情報（例えば、ＵＲＬ）をユーザ端末に与える必要がある。このサーバのＵＲＬは接続の都度ユーザ端末に入力してもよいが、操作が煩雑となるので、ユーザ端末のクッキーファイルに登録するようにしてもよい。ただ、関係のない人にＵＲＬが分かってしまうと個人情報が漏洩するおそれがあるので、記録媒体を所有する人だけにＵＲＬが分かるようにするのがよい。
【００１２】
そこで、記録媒体には主データ記憶手段の対応するアルバムデータへの接続先を記録し、媒体データ読出手段によって記録媒体から読み出された接続先に接続する接続手段を更に設けるのが好ましい。
【００１３】
同様に、誰でもが主データ記憶手段にアクセスできないように認証を行うのがよい。そこで、主データ記憶手段へのアクセスを許可するための認証データを記憶する認証データ記憶手段と、該認証データ記憶手段内の認証データを用いて認証を行う認証手段とを更に備え、記録媒体にはアルバムデータの一部に関連する主データ記憶手段内のデータへのアクセスの許可を求めるための認証データが記録され、媒体データ読出手段は記録媒体に記録された認証データを読み出し、認証手段は読み出した認証データを受けて認証データ記憶手段内の認証データと比較し、主データ読出手段は認証がなされた時に識別データに対応するアルバムデータの残部を主データ記憶手段から読み出すように構成するのが好ましい。
【００１４】
関係者やサーバの管理者が個人データに関連する資料、画像、文書等をサーバに追加し変更できるようにすると、アルバムデータが有用性を更にアップさせることができる。そこで、主データ記憶手段内のアルバムデータの残部を変更し追加する主データ書込み手段を更に備えるのがよい。ただし、全ての関係者がアルバムデータを追加し変更できるようにすると、サーバ内のアルバムデータが改ざんされるおそれがあるので、アルバムデータを追加し変更できる関係者を認証等によって特定することもできる。
【００１５】
記録媒体に記録するアルバムデータの一部、及び主データ記憶手段に記憶するアルバムデータの残部はどのようなデータであってもよく、ユーザが適宜選択することができる。本発明の当初の目的が個人の写真や思い出等の個人データを関係者の関連データとともに有効に利用する点にあることを考慮すると、アルバムデータの一部を個人に由来する個人データの全部又は一部とし、残部を個人の関係者に由来する関連データ及び個人データが社会的に関係する関連データの一方又は両方、あるいは該一方又は両方と個人に由来する個人データの残部とすることができる。
【００１６】
この場合、個人データは個人の所有する画像データ、文字データ及び／又は音声データの形態をとることができる。
【００１７】
識別データは記録媒体内のアルバムデータの一部と主データ記憶手段内のアルバムデータの残部とを相互に関係づけることができれば、文字や数字の組合せデータ等、どのようなデータであってもよい。例えば、本発明の当初の目的が個人の写真や思い出等の個人データを関係者の関連データとともに有効に利用する点にあることを考慮すると、個人データに関連する日時データ及び／又は場所データを識別データに用いることができる。
【００１８】
また、関連データは個人の関係者に由来するデータあるいは個人データが社会的に関係するデータを採用することができるので、個人データに関連する社会的な出来事、歴史あるいは地理に関する画像データ、文字データ及び／又は音声データを用いることができる。
【００１９】
サーバ及びユーザ端末は信号や情報を処理して各種の演算処理を行えるデータ処理装置であればどのようなものでもよいが、一般的にはワークステーションやパーソナルコンピュータが用いられる。さらに、ユーザ端末は処理すべきデータ量が少ないので、ＰＡＤ等の携帯端末を用いることもできる。
【００２０】
回線はサーバ及びユーザ端末の間で信号や情報を送受できればよく、例えばネットワーク回線、あるいは電話回線等の公衆回線網、その他の通信回線を用いることができる。
【００２１】
リムーバブルな記録媒体はデータを記録できればメモリカードでもよいが、ある程度のデータ量を記録できるのが望ましいことから、ＣＤやＤＶＤその他のリムーバブルなディスクを用いるのがよい。
【００２２】
ここで、主データ記憶手段及び認証データ記憶手段は公知の記憶手段、例えばハードディスクドライブ（ＨＤＤ）等で構築できる。また、主データ読出手段及び認証手段は公知の演算処理手段、例えばマイクロ演算処理ユニット（ＭＰＵ）や中央演算処理ユニット（ＣＰＵ）で構築することができる。さらに、媒体データ読出手段は公知のデータ読出機構、例えばＣＤドライブやＤＶＤドライブと公知の演算処理手段、例えばＭＰＵやＣＰＵとで構築することができる。
【００２３】
また、接続手段は公知の演算処理手段、例えばＭＰＵやＣＰＵと公知の通信手段、例えばモデム、ルータあるいはターミナルアダプタ等で構築することができる。さらに、表示手段は公知の表示手段、例えばＣＲＴ等のディスプレイ装置と公知の演算処理手段、例えばＭＰＵやＣＰＵとで構築することができる。また、主データ書込み手段は公知の入力機構、例えばキーボード、マウス、タッチパネルと公知の演算処理手段、例えばＭＰＵやＣＰＵとで構築することができる。
【００２４】
また、公知のサーバ及び端末にプログラムをインストールすることによって本発明に係る電子アルバムシステムを実現することができる。即ち、本発明によれば上述のシステムを実現する電子アルバムプログラムを提供することができる。
【００２５】
本発明に係る電子アルバムプログラムは、アルバムデータの一部を記録した記録媒体をユーザ端末にセットする一方、ユーザ端末とサーバとの間を回線を介して接続し、アルバムデータの残部をサーバからユーザ端末に送信してアルバムデータをユーザ端末に表示し得るように、サーバ及びユーザ端末を制御する電子アルバムプログラムであって、上記サーバ及びユーザ端末を、アルバムデータの残部とその識別データを記憶する主データ記憶手段、記録媒体に記録されたアルバムデータの一部及び識別データを読み出す媒体データ読出手段、上記読み出した識別データを受け、該識別データに対応するアルバムデータの残部を上記主データ記憶手段から読み出す主データ読出手段、及び上記読み出したアルバムデータの残部を受け、該アルバムデータの残部と上記読み出したアルバムデータの一部とからアルバムデータを表示する表示手段、として機能させるようになしたことを特徴とする。
【００２６】
このプログラムにおいても主データ記憶手段へのアクセスを認証するのが望ましい。
【００２７】
即ち、サーバ及びユーザ端末を、主データ記憶手段へのアクセスを許可するための認証データを記憶する認証データ記憶手段、及び該認証データ記憶手段内の認証データを用いて認証を行う認証手段として機能させるとともに、記録媒体にはアルバムデータの一部に関連する主データ記憶手段内のデータへのアクセスの許可を求めるための認証データが記録され、媒体データ読出手段が記録媒体に記録された認証データを読み出し、認証手段が読み出した認証データを受けて認証データ記憶手段内の認証データと比較し、主データ読出手段が認証がなされた時に識別データに対応するアルバムデータの残部を主データ記憶手段から読み出すように制御するプログラムを更に含むのがよい。
【００２８】
【発明の実施の形態】
以下、本発明を具体例に基づいて詳細に説明する。図１ないし図４は本発明に係る電子アルバムシステムの好ましい実施形態を示す。本例のシステムは図１に示されるように、サーバ１０、個人のユーザ端末２０、関係者のユーザ端末３０、サーバ１０及びユーザ端末２０、３０の間を接続するネットワーク回線４０及びリムーバブルな記録媒体、例えばＣＤ５０から構成されている。図１にはサーバ１０を１つ示しているが、サーバ１０の機能を複数のサーバに分担させることもできる。また、関係者のユーザ端末３０を４つ示しているが、これらは３以下あるいは５つ以上であってもよい。なお、リムーバブルな記録媒体はＤＶＤであってもよい。
【００２９】
図２はサーバ１０及び個人ユーザ端末２０の基本的なハード構成の例を示す。図において、サーバ１０は基本的にはＣＰＵ１１、ＲＡＭ１２、ＨＤドライブ１３、キーボードやマウス等の入力装置１４及びＬＡＮボードやモデム等の通信装置１５から構成されている。
【００３０】
ＨＤドライブ１３によって駆動されるハードディスクにはサーバ１０を駆動させる電子アルバムプログラムが格納されるとともに、個人データ（アルバムデータの一部）に関連する対応する関連データ（アルバムデータの残部）がこれを特定するための識別データとともに記憶され、又ユーザの認証データが格納されている。
【００３１】
ここで、個人データ及び関連データは画像データ、文字データ及び／又は音声データの形態をなし、個人データは個人に由来するデータであり、関連データは個人の関係者に由来し、個人データに関連する社会的な出来事、歴史あるいは地理に関するデータである。識別データには個人データに関連する日時データ及び／又は場所データが用いられている。
【００３２】
ＣＰＵ１１はユーザ端末２０、３０からの認証データが送信されてくるとハードディスク内の認証データと比較して認証を行ない、ユーザ端末２０、３０から識別データが送信されてくるとハードディスクから関連データを読み出してユーザ端末２０、３０に送信するようになっている。
【００３３】
また、ＣＰＵ１１は入力装置１４から指示があるとハードディスク内の関連データを変更し追加する一方、ユーザ端末２０、３０から変更され追加すべき関連データを受けるとハードディスク内の関連データを変更し追加するようになっている。
【００３４】
ユーザ端末２０は基本的にはＣＰＵ２１、ＲＡＭ２２、ＨＤドライブ２３、ＣＤドライブ（例えば、ＣＤ−ＲＯＭドライブ）２４（ＤＶＤドライブであってもよい）、ＣＲＴ等の表示装置２５、及びキーボードやマウス等の入力装置２６、及びＬＡＮボードやモデム等の通信装置２７から構成されている。
【００３５】
ＨＤドライブ２３によって駆動されるハードディスクにはユーザ端末２０を駆動する制御プログラムが記憶されている。
【００３６】
ＣＰＵ２１はそのＣＤドライブ２４にＣＤ５０がセットされると、ＣＤ５０内に個人データを読み出して表示装置２５に表示する一方、ＣＤ５０内のサーバ１０側ハードディスクの対応する記憶領域の接続先情報（例えば、ＵＲＬ）を読み出して接続要求を送信し、ＣＤ５０から認証データを読み出してサーバ１０に送信し、サーバ１０から関連データが送信されてくると表示装置２５に表示するようになっている。
【００３７】
また、ＣＰＵ２１は入力装置２６からの指示があると、変更され追加すべき関連データをサーバ１０に送信するようになっている。
【００３８】
関係者のユーザ端末３０は基本的には個人のユーザ端末２０と同じ構成を有し、ＣＰＵ、ＲＡＭ、ＣＤドライブ、ＨＤドライブ、ＬＡＮボードやモデム等の通信装置、ＣＲＴ等の表示装置及びキーボードやマウス等の入力装置から構成され、個人のユーザ端末２０と同じ制御処理を行うようになっている。
【００３９】
ＣＤ５０には個人の所有に由来する写真、映像フィルムあるいはビデオテープの記録がデジタルデータに変換されて個人データとして記録されるとともに、個人データに関連する関連データを特定するための識別データ、サーバ１０側ハードディスクの対応する記憶領域のＵＲＬ、及び認証データが記録されている。このＣＤ５０は個人及び関係者に与えられ、各々が保有している。
【００４０】
図３は本例の電子アルバムシステムにおける基本的な機能ブロックを示す。サーバ１０は機能的には主データ記憶手段１００、認証データ記憶手段１１０、認証データ読出手段１２０、認証手段１３０、主データ読出手段１４０及び主データ書込み手段１５０から構成されている。
【００４１】
主データ記憶手段１００はＨＤドライブ１３、その他の記憶装置によって実現される機能であって、関連データを識別データに対応して記憶している。
【００４２】
認証データ記憶手段１１０はＨＤドライブ１３、その他の記憶装置によって実現される機能であって、ユーザの認証データを記憶している。
【００４３】
認証データ読出手段１２０はＣＰＵ１１によって実現される機能であって、認証データ記憶手段１１０から認証データを読み出すようになっている。
【００４４】
認証手段１３０はＣＰＵ１１及び通信装置１５によって実現される機能であって、ユーザ端末２０、３０から認証データを受けると、認証データ記憶手段１１０から読み出された認証データと比較し、両者が一致した時にハードディスクへのアクセスを許可するようになっている。
【００４５】
主データ読出手段１４０はＣＰＵ１１及び通信装置１５によって実現される機能であって、ユーザが認証された時に受け取った識別データに対応する関連データを主データ記憶手段１００から読み出してユーザ端末２０、３０に送信するようになっている。
【００４６】
主データ書込み手段１５０はＣＰＵ１１、入力装置１４及び通信装置１５によって実現される機能であって、入力装置１４からの指示があると、主データ記憶手段１００内の関連データを変更しあるいは追加し、又ユーザ端末２０、３０から変更され追加すべき関連データが送信されてくると主データ記憶手段１００内の関連データを変更しあるいは追加するようになっている。
【００４７】
ユーザ端末２０は機能的には媒体データ読出手段２００、接続手段２１０、表示手段２２０及び主データ書込み手段２３０から構成されている。
【００４８】
媒体データ読出手段２００はＣＰＵ２１及びＣＤドライブ２４によって実現される機能であって、ＣＤ５０から個人データと識別データ、接続先情報（例えばＵＲＬ）及び認証データを読み出すようになっている。
【００４９】
接続手段２１０はＣＰＵ２１及び通信装置２７によって実現される機能であって、読み出された接続先情報を用いてサーバ１０に対して接続要求を行うようになっている。
【００５０】
表示手段２２０はＣＰＵ２１、表示装置２５及び通信装置２７によって実現される機能であって、ＣＤ５０から個人データが読み出されると表示するとともに、サーバ１０から関連データを受け取ると表示するようになっている。
【００５１】
主データ書込み手段２３０はＣＰＵ２１、入力装置２６及び通信装置２７によって実現される機能であって、入力装置２６からの指示があると、主データ記憶手段１００内の関連データを変更したデータあるいは追加すべきデータを作成してサーバ１０に送信するようになっている。
【００５２】
次に、システムの概略動作について説明する。電子アルバムプログラムは例えばＣＤ（ＤＶＤでもよい）に圧縮して記録されており、これをサーバ１０のインストール用のＣＤドライブ（ＤＶＤドライブでもよい）に挿入し、オペレータが指示を与えると、ディスク中のインストールプログラムが実行され、読み出された電子アルバムプログラムがサーバ１０のハードディスク等に実行可能な状態に展開される一方、プログラムの実行が指示されると、ハードディスク等に展開されたプログラムの一部又は全部がハードディスク等から読出され，ＣＰＵ１１によって実行される。
【００５３】
また、電子アルバムプログラムを適切な端末からサーバ１０にアップロードしてインストールすることもできる。
【００５４】
今、ユーザ端末２０が起動され、ＣＤ５０がＣＤドライブ２４にセットされると、ＣＤ５０に記録された個人データが読み出され、表示装置２５に表示される。例えば、図４に示されるように、表示装置２５にはその全画面にフレームＦ１が表示され、フレームＦ１には個人の肖像や思い出の風景の画像が１枚表示されるとともに、その下側に「次ページ」及び「送信」のボタンがレイアウトされているので、「次ページ」ボタンにマウスのポインターを合わせてクリックすることにより、次の肖像や思い出の風景の画像を表示できるようになっている。なお、複数の画像をサムネイル形式で表示する等、他の表示方法を採用することもできる。
【００５５】
同時に、サーバ１０の個人データに対応する記憶領域の接続先情報、識別データ及び認証データが読み出される。そこで、フレームＦ１に適当な肖像や思い出の風景が表示されている時に、その下側の「送信」ボタンにマウスのカーソルを合わせてクリックすると、接続先を指定してサーバ１０に対する接続要求が行われる。なお、上述の画像をサムネイル形式で表示する場合には所望の画像をマウス操作で選択した後、「送信」ボタンをクリックするようにしてもよい。
【００５６】
ユーザ端末２０とサーバ１０とが接続されると、ユーザ端末２０から認証データが送信され、サーバ１０はハードディスク内の認証データと比較し、両者が一致すると記憶領域へのアクセスを許可し、一致しないとアクセスを拒否する。
【００５７】
アクセスが許可されると、ユーザ端末２０からサーバ１０に識別データが送信され、サーバ１０では識別データに対応する関連データが読み出され、ユーザ端末２０に送信され、ユーザ端末２０の表示装置２５に表示される。例えば、図４に示されるように、表示装置２５にはフレームＦ１の側方にフレームＦ２が並べて表示され、フレームＦ２には関連データ、例えばフレームＦ１の画像に関連する社会的な出来事、歴史、地理、その他の画像又は文書がサムネイル形式で表示される。この時、フレームＦ２の画像又は文書にマウスのポインターを合わせてクリックすると、その画像又は文書が選択されて更に関連する画像や説明、あるいは詳細な文書が表示されるようにすることもできる。
【００５８】
なお、フレームＦ１に適当な画像を表示した状態で「送信」ボタンをクリックすることにより、サーバ１０から関連データが送信されるようにしているが、フレームＦ１に適当な画像を表示した時に自動的にサーバ１０から関連データが送信されるようにすることもできる。
【００５９】
関係者のユーザ端末３０についてもＣＤ５０をセットすることにより個人のユーザ端末２０と同様に個人データ及び関連データを表示することができる。
【００６０】
また、サーバ１０の運営者が関連データを変更しあるいは追加したい場合にはサーバ１０側の端末を用い、ハードディスク内の関連データを読み出して表示して変更し、あるいは新しく画像データも文書データを端末に取り込んでサーバ１０のハードディスクに書き込むようにすればよい。
【００６１】
個人や関係者が関連データを変更し追加したい場合にはユーザ端末２０、３０を用い、表示された関連データを変更し、新しく画像データを取込み、文書を作成し、これらのデータをサーバ１０に送信してサーバ１０側のデータを変更し又は追加するようにすればよい。
【図面の簡単な説明】
【図１】本発明に係る電子アルバムシステムの好ましい実施形態における概略構成を示す図である。
【図２】上記実施形態におけるサーバ及びユーザ端末の基本的な構成を示す図である。
【図３】上記実施形態における制御処理を示す機能ブロック図である。
【図４】上記実施形態における個人データ及び関連データの表示例を示す図である。
【符号の説明】
１０　　　　サーバ
２０　　　　ユーザ端末
３０　　　　ユーザ端末
４０　　　　回線
５０　　　　ＣＤ（記録媒体）
１００　　　主データ記憶手段
１１０　　　認証データ記憶手段
１２０　　　認証データ読出手段
１３０　　　認証手段
１４０　　　主データ読出手段
１５０　　　主データ書込み手段
２００　　　媒体データ読出手段
２１０　　　接続手段
２２０　　　表示手段
２３０　　　主データ書込み手段
【図１】
2004086345.tif 000003
【図２】
2004086345.tif 000004
【図３】
2004086345.tif 000005
【図４】
2004086345.tif 000006